(57)【要約】【課題】  使用者が必要とするとき、予め定められた使用者である事を迅速に認証する。【解決手段】  非接触ＩＣカード６０は、電源ユニット８０と、電源ユニット８０が発電した電力を用いて、生体情報を検出する検出部７２と、使用者情報を記憶する生体情報記憶部７４と、電源ユニット８０が発電した電力を用いて、検出部７２が検出した情報が、使用者情報に一致するか否かを判断する判定部７６と、使用者情報とは異なる情報を記憶する記憶部６８と、電源ユニット８０から独立して、電力を供給する第２電源部７０と、判定部７６が、検出部７２が検出した生体情報を、使用者情報に一致する情報と判断すると、第２電源部７０が供給した電力を用いて、記憶部６８に記憶された情報から、記憶部６８に記憶された情報を読み取り可能なように変調された信号を生成する制御部６６および送信部９４と、制御部６６および送信部９４が生成した信号を電磁波として出力する第１アンテナ部６２とを含む。【選択図】        図１
2005202505.tif 000002
【特許請求の範囲】
【請求項１】
圧電素子を用いて発電するための発電手段と、
前記発電手段が発電した電力を用いて、生体それぞれに固有の特徴を表す情報を検出するための検出手段と、
予め定められた使用者に固有の特徴を表す情報を記憶するための第１の記憶手段と、
前記発電手段が発電した電力を用いて、前記検出手段が検出した情報が、前記第１の記憶手段に記憶された情報に一致するか否かを判断するための判断手段と、
前記予め定められた使用者に固有の特徴を表す情報とは異なる情報を記憶するための第２の記憶手段と、
前記発電手段から独立して、電力を供給するための供給手段と、
前記判断手段が、前記検出手段が検出した情報を、前記第１の記憶手段に記憶された情報に一致する情報と判断すると、前記供給手段が供給した電力を用いて、前記第２の記憶手段に記憶された情報から、前記第２の記憶手段に記憶された情報を読み取り可能なように変調された信号を生成するための生成手段と、
前記生成手段が生成した信号を電磁波として出力するための出力手段とを含む、情報送信装置。
【請求項２】
前記圧電素子は、前記検出手段が情報を検出する際に力を受ける素子を含む、請求項１に記載の情報送信装置。
【請求項３】
前記検出手段が情報を検出する際に力を受ける素子は、前記検出手段に重ねられた素子を含む、請求項２に記載の情報送信装置。
【請求項４】
前記情報送信装置は、
前記出力手段が出力した結果を電磁波で受け取る受取手段と、
前記出力手段が出力した結果を表す情報を、前記第２の記憶手段に記憶させる情報記憶手段とをさらに含む、請求項１に記載の情報送信装置。
【請求項５】
前記情報送信装置は、前記予め定められた使用者に固有の特徴を表す情報を受付けるための受付手段をさらに含み、
前記第１の記憶手段は、前記受付手段が受付けた、予め定められた使用者に固有の特徴を表す情報を記憶するが、前記発電手段からの電力の供給が途絶えると情報が消去されるような手段を含む、請求項１に記載の情報送信装置。
【請求項６】
前記情報送信装置は、前記判断手段が、前記検出手段が検出した情報を、前記第１の記憶手段に記憶された情報に一致する情報と判断したら、点灯し、更に前記出力手段が電磁波の出力を開始し、前記出力手段が電磁波を出力する間、点灯する点灯装置をさらに含む、請求項１に記載の情報送信装置。
【請求項７】
前記情報送信装置は、長方形のＩＣカードを含み、
前記検出手段は、前記ＩＣカードの長辺側の端より短辺側の端に近い位置に配置された、前記情報を検出するための手段を含む、請求項１に記載の情報送信装置。
【発明の詳細な説明】
【技術分野】
【０００１】
本発明は、情報送信装置に関し、特に、本人確認のために読取った生体情報を、予め登録された生体情報と照合できる、情報送信装置に関する。
【背景技術】
【０００２】
近年、クレジットカード機能やデビットカード機能などを有する、ＩＣ（Integrated  Circuit）カードが広く利用されている。このようなＩＣカードは、プラスチックカードにＩＣが埋込まれたものである。これらのＩＣカードには、所有者以外の使用者による不正使用の危険性、および電源の確保という問題がある。
【０００３】
このような不正使用を回避し電源を確保するさまざまな技術が提案されている。たとえば、特許文献１には、電磁波を受付け、生体情報（以下の説明において、「生体情報」とは、ＩＣカードの使用者の指紋を始めとする、生体それぞれに固有の特徴を表す情報のことである。使用者の筆跡も、生体それぞれに固有の特徴を表すので、生体情報の一種である。）に基づいて、使用者が正当な使用者か否かを認証するＩＣカードが開示されている。特許文献２には、太陽電池によって機能し、かつメモリの内容が零になると特定のコードを入力するまで機能が停止するＩＣカードが開示されている。特許文献３には、ペルチェ素子を電源として機能するＩＣカードが開示されている。
【０００４】
図９を参照して、特許文献１に開示されたＩＣカードは、制御部１５０と、センサ部１５２と、電源部１５４と、記憶部１５６と、送受信部１５８と、アンテナ１６０と、電源コード１６２とを含む。制御部１５０は、ＩＣカードの各構成要素を制御する。制御部１５０は、他の構成要素との情報の交換を司る回路でもある。センサ部１５２は、使用者の生体情報を制御部１５０に入力する。電源部１５４は、ＩＣカードの各回路に電源を供給する。記憶部１５６は、情報を記憶する。記憶部１５６は、自らが記憶した情報を出力する回路でもある。送受信部１５８は、制御部１５０と外部のリーダ・ライタ（図示せず）との情報交換を司る。アンテナ１６０は、送受信部１５８が送信する電磁波を発信する。アンテナ１６０は、電磁波を受信する装置でもある。電源コード１６２は、電源部１５４が供給する電力をＩＣカードの各構成要素に供給する媒体である。送受信部１５８は、送信部１７２と、受信部１７４とを含む。送信部１７２は、制御部１５０から渡された情報を上述したリーダ・ライタに送信する。受信部１７４は、上述したリーダ・ライタから受信した情報を制御部１５０に引渡す。制御部１５０は、センサ部１５２が検出した生体情報を解析する。制御部１５０は、解析した結果と記憶部１５６に記憶された情報とを照合する。その照合の結果、両者が合致したときにのみ、上述したリーダ・ライタと情報を交換する。電源部１５４は、受信部１７４が受信する電磁波の分岐勢力を受ける。電源部１５４は、電磁波の分岐勢力を電力に変換する回路でもある。非接触ＩＣカード装置の各部に供給される電力は、このようにして変換された電力である。
【０００５】
この技術によると、ＩＣカードは、リーダ・ライタからの電磁波を受けて使用者の指紋を照合する。その照合の結果、両者が合致したときにのみ、上述したリーダ・ライタと情報を交換する。これにより、当該ＩＣカードの真の所有者以外の使用者による不正な使用を排除できる。そうすることで、現在使用範囲の限定されているＩＣカードの使用範囲を拡大することができる。今後、利便性・安全性から考えて、指紋などの生体情報を使用して正規使用者を確認するようになってくる可能性が高いと考えられる。その場合、ＩＣ自身に、指紋読取り用のセンサを搭載することが望ましい。そこで、上述したように、そのようなセンサが搭載されたＩＣカードが提案され、実用化されている。
【０００６】
しかしながら、特許文献１に開示されたように、電磁波を受付け、生体情報に基づいて、使用者が正当な使用者か否かを認証する場合、使用者が必要とするときに、予め定められた使用者であることを迅速に認証できないという問題が生じる。通常、ＩＣカードを使用者が使用する場合、使用する時点で個人認証が終了していることが望ましい。このため、特許文献１に示されているＩＣカードシステムは、電源部１５４に蓄電池を設けて外部のＩＣカードインターフェース装置からの電磁波を受けるたびに蓄電を行う。しかし、ＩＣカードの使用頻度が低い場合、必要な時に電力が供給できない。蓄電池が放電するためである。蓄電池が放電している場合、利用者は、外部のリーダ・ライタから蓄電池に電力が蓄えられるのを待つ必要がある。その待ち時間は、ＩＣカードの各構成要素が動作可能となるレベルまでの時間である。常に外部のリーダ・ライタから電力の供給を受けることができれば、そのような待ち時間はほとんど存在しない。しかし、実際には、外部のリーダ・ライタの近くまでＩＣカードを持っていかなければ、電力が供給されない。電力が供給されないので、生体情報を用いた確認ができるほどの電力を得るには、かなり長い待ち時間が必要になる。ＩＣカードに搭載するＭＰＵ（Micro Processing Unit）を、消費電力が少ないものにすると、電力を得るための待ち時間は少なくなる。しかし、一般的にこのようなＭＰＵは動作が遅いので、生体情報を用いた確認に必要な時間が長くなる。結局長い待ち時間を必要とすることに変わりはない。特許文献２に開示されたような、太陽電池によって機能し、かつメモリの内容が零になると特定のコードを入力するまで機能が停止する場合にも、同様の問題がある。すなわち、太陽電池は光があたっている間だけ発電する。使用の直前および直後を除き、ＩＣカードに光があてられることは少ない。光があてられない間は、ＩＣカードに電力が供給されない。電力が供給されないので、待ち時間はやはり長くなる。特許文献３に開示されたような、ペルチェ素子を電源として機能する場合にも、同様の問題がある。
【特許文献１】特開平１１−１９５１０２号公報（第５〜７頁、図１）
【特許文献２】特開２０００−２８５２１６号公報（第３頁、図１）
【特許文献３】特開２００３−１３２３１２号公報（第２〜４頁、図１）
【発明の開示】
【発明が解決しようとする課題】
【０００７】
本発明は上述の問題点を解決するためになされたものであって、その目的は、使用者が必要とするときに、予め定められた使用者であることを迅速に認証できる情報送信装置を提供することにある。
【課題を解決するための手段】
【０００８】
上記目的を達成するために、本発明のある局面にしたがうと、情報送信装置は、圧電素子を用いて発電するための発電手段と、発電手段が発電した電力を用いて、生体それぞれに固有の特徴を表す情報を検出するための検出手段と、予め定められた使用者に固有の特徴を表す情報を記憶するための第１の記憶手段と、発電手段が発電した電力を用いて、検出手段が検出した情報が、第１の記憶手段に記憶された情報に一致するか否かを判断するための判断手段と、予め定められた使用者に固有の特徴を表す情報とは異なる情報を記憶するための第２の記憶手段と、発電手段から独立して、電力を供給するための供給手段と、判断手段が、検出手段が検出した情報を、第１の記憶手段に記憶された情報に一致する情報と判断すると、供給手段が供給した電力を用いて、第２の記憶手段に記憶された情報から、第２の記憶手段に記憶された情報を読み取り可能なように変調された信号を生成するための生成手段と、生成手段が生成した信号を電磁波として出力するための出力手段とを、含む。
【０００９】
すなわち、発電手段は、圧電素子を用いて発電する。検出手段は、発電手段が発電した電力を用いて、生体それぞれに固有の特徴を表す情報を検出する。第１の記憶手段は、予め定められた使用者に固有の特徴を表す情報を記憶する。判断手段は、発電手段が発電した電力を用いて、検出手段が検出した情報が、第１の記憶手段に記憶された情報に一致するか否かを判断する。第２の記憶手段は、予め定められた使用者に固有の特徴を表す情報とは異なる情報を記憶する。例えば、カード番号、ユーザ番号、使用可能金額などである。供給手段は、発電手段から独立して、電力を供給する。生成手段は、判断手段が、検出手段が検出した情報を、第１の記憶手段に記憶された情報に一致する情報と判断すると、供給手段が供給した電力を用いて、第２の記憶手段に記憶された情報から、第２の記憶手段に記憶された情報を読み取り可能なように変調された信号を生成する。出力手段は、生成手段が生成した信号を電磁波として出力する。以上のように、検出手段や判断手段は、発電手段が発電した電力を用いる。発電手段が発電した電力が用いられるので、検出手段や判断手段は、供給手段が供給できる電力に関わらず、予め定められた使用者であることを迅速に認証できる。その結果、使用者が必要とするときに、予め定められた使用者であることを迅速に認証できる情報送信装置を提供することができる。
【００１０】
また、上述の圧電素子は、検出手段が情報を検出する際に力を受ける素子を含むことが望ましい。
【００１１】
すなわち、圧電素子は、検出手段が情報を検出する際に力を受ける。これにより、発電と生体それぞれに固有の特徴を表す情報の検出とが同時に行われる。その結果、使用者が必要とするときに、予め定められた使用者であることをより迅速に認証できる情報送信装置を提供することができる。
【００１２】
もしくは、上述の検出手段が情報を検出する際に力を受ける素子は、検出手段に重ねられた素子を含むことが望ましい。
【００１３】
すなわち、圧電素子は、検出手段に重ねられ、検出手段が情報を検出する際に力を受ける。これにより、簡単な構造で、検出手段が情報を検出する際に圧電素子が力を受けることが可能になる。その結果、簡単な構造で、使用者が必要とするときに、予め定められた使用者であることをより迅速に認証できる情報送信装置を提供することができる。
【００１４】
また、上述の情報送信装置は、出力手段が出力した結果を電磁波で受け取る受取手段と、出力手段が出力した結果を表す情報を、第２の記憶手段に記憶させる情報記憶手段とをさらに含むことが望ましい。
【００１５】
すなわち、第２の記憶手段に記憶されている情報を、書き換える場合も、使用者の認証が終了しているので、安全な情報送信装置を提供することができる。
【００１６】
また、上述の情報送信装置は、予め定められた使用者に固有の特徴を表す情報を受付けるための受付手段をさらに含むことが望ましい。あわせて第１の記憶手段は、受付手段が受付けた、予め定められた使用者に固有の特徴を表す情報を記憶するが、発電手段からの電力の供給が途絶えると情報が消去されるような手段を含むことが望ましい。
【００１７】
すなわち、受付手段は、予め定められた使用者に固有の特徴を表す情報を受付ける。第１の記憶手段は、発電手段からの電力の供給が途絶えると情報が消去されるように、受付手段が受付けた、予め定められた使用者に固有の特徴を表す情報を記憶する。これにより、予め定められた使用者に固有の特徴を表す情報がいつまでも記憶されることがなくなる。情報がいつまでも記憶されることがなくなるので、情報の悪用の恐れが減少する。その結果、情報の悪用の恐れが少なく、かつ使用者が必要とするときに、予め定められた使用者であることを迅速に認証できる情報送信装置を提供することができる。
【００１８】
また、上述の情報送信装置は、判断手段が、検出手段が検出した情報を、第１の記憶手段に記憶された情報に一致する情報と判断したら、点灯し、更に出力手段が電磁波の出力を開始し、出力手段が電磁波を出力する間、点灯する点灯装置をさらに含むことが望ましい。
【００１９】
すなわち、点灯装置は、検出手段が検出した情報が第１の記憶手段に記憶された情報に一致する情報と判断したら、点灯し、更に出力手段が電磁波の出力を開始し、出力手段が電磁波を出力する間、点灯する。これにより、正常に動作しているか否かが明確になる。その結果、正常に動作しているか否かが明確で、使用者が必要とするときに、予め定められた使用者であることを迅速に認証できる情報送信装置を提供することができる。
【００２０】
また、上述の情報送信装置は、長方形のＩＣカードを含むことが望ましい。あわせて検出手段は、ＩＣカードの長辺側の端より短辺側の端に近い位置に配置された、情報を検出するための手段を含むことが望ましい。
【００２１】
すなわち、検出手段は、長方形のＩＣカードの長辺側の端より短辺側の端に近い位置に配置される。これにより、生体それぞれに固有の特徴を表す情報が、より自然に検出される。その結果、より自然に生体それぞれに固有の特徴を表す情報を検出でき、かつ使用者が必要とするときに、予め定められた使用者であることを迅速に認証できる情報送信装置を提供することができる。
【発明の効果】
【００２２】
本発明に係る情報送信装置は、使用者が必要とするときに、予め定められた使用者であることを迅速に認証できる。
【発明を実施するための最良の形態】
【００２３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２４】
＜第１の実施の形態＞
以下、本発明の第１の実施の形態に係るＩＣカードについて、図面に基づいて説明する。
【００２５】
図１を参照して、本実施の形態に係る非接触ＩＣカード６０は、外部リーダ・ライタ５０との間で電磁波を介して情報を通信する、情報送信装置である。非接触ＩＣカード６０は、第１アンテナ部６２と、送受信ユニット６４と、制御部６６と、記憶部６８と、第２電源部７０と、認証部７８と、電源ユニット８０と、スイッチ８２とを含む。第１アンテナ部６２は、外部リーダ・ライタ５０との間で電磁波を送受信する（本実施の形態において、第１アンテナ部６２は、外部リーダ・ライタ５０のほか、携帯電話などといった電力の供給源となる装置、すなわち外部電力供給装置から、電力用の電波を受信する）。第１アンテナ部６２は、自らが受付けた電磁波を、その電磁波の周波数に等しい周波数の交流電力（以下、この交流電力を「高周波信号」と称する。なお、以下の説明において、生成される高周波信号の周波数は、その高周波信号を生成する回路や高周波信号の利用目的などにより異なる。）に変換する装置でもある。送受信ユニット６４は、第１アンテナ部６２が取扱う高周波信号と、制御部６６が取扱うデータとを相互に変換する。送受信ユニット６４は、変換したデータを制御部６６に出力する回路でもある。送受信ユニット６４は、変換した高周波信号を第１アンテナ部６２に出力する回路でもある。送受信ユニット６４は、第１アンテナ部６２が受信した高周波信号を分岐させ、電力に変換する回路でもある。制御部６６は、非接触ＩＣカード６０の各部を制御する。制御部６６は、各種のデータを管理する回路でもある。記憶部６８は、予め定められた使用者に固有の特徴を表す情報とは異なる情報を記憶する。本実施の形態において、記憶部６８が記憶する情報は、制御部６６が管理する。第２電源部７０は、送受信ユニット６４が出力する電力を蓄電する。第２電源部７０は、電源ユニット８０から独立して、蓄電した電力を制御部６６および記憶部６８に供給する回路でもある（本実施の形態において、第２電源部７０は、外部電力供給装置から第１アンテナ部６２を介して電力を受け取り、蓄電する）。認証部７８は、使用者が正当な使用者か否かを認証する。電源ユニット８０は、認証部７８に、生体情報の検出および個人認証に必要な電力を供給する。電源ユニット８０は、第２電源部７０に起動に必要な電力を供給する装置でもある。電源ユニット８０は、第１アンテナ部６２、送受信ユニット６４、制御部６６、および記憶部６８へは電力を供給しない。スイッチ８２は、電源ユニット８０から第２電源部７０への回路を開閉する。これにより、スイッチ８２が「ＯＮ」の状態である場合に、電源ユニット８０は、第２電源部７０へ電力を供給することとなる。後述するように、スイッチ８２が「ＯＮ」の状態となるのは、認証部７８の判定部７６が、生体情報と所有者情報（後述する）とを一致すると判断した場合である。これらが一致しない場合、スイッチ８２は「ＯＮ」の状態とはならない。
【００２６】
第１アンテナ部６２は、第１アンテナ９０と、第１同調回路９２とを含む。第１アンテナ９０は、外部リーダ・ライタ５０との間で、通信用に予め定められた周波数の電波を用いて通信する。第１アンテナ９０は、受信した電波（電磁波）を高周波信号に変換し、第１同調回路９２に出力する装置でもある。第１アンテナ９０は、制御部６６が生成した信号に対応する電磁波を、外部リーダ・ライタ５０に出力する装置でもある。第１同調回路９２は、第１アンテナ９０が出力した高周波信号からノイズを除去する。第１同調回路９２は、送受信ユニット６４が出力した高周波信号のノイズを除去する回路でもある。
【００２７】
送受信ユニット６４は、送信部９４と受信部９６とを含む。送信部９４は、制御部６６が出力した各種データを高周波信号に変換する。受信部９６は、第１同調回路９２が出力した高周波信号を制御部６６が利用可能なデータに変換する。受信部９６は、第１アンテナ部６２が受信した高周波信号を分岐させ、分岐させた高周波信号を電力に変換する回路でもある。受信部９６は、第１アンテナ部６２が出力した高周波信号のうち、特定波長（すなわち外部リーダ・ライタ５０が出力する電磁波の波長）の高周波信号を直流電力に変換する。これにより、第１アンテナ部６２が受付けた、特定波長の電磁波は、第１アンテナ部６２自身および受信部９６によって、電力に変換されることとなる。本実施の形態の場合、受信部９６は、第１アンテナ部６２が受信した高周波信号を、整流により、直流電力に変換する。受信部９６は、自らが変換した直流電力を第２電源部７０に出力する。これにより、受信部９６は、電波の分岐勢力から得た電力を第２電源部７０に供給する。なお、受信部９６は、判定部７６の認証処理の結果に応じて、第１アンテナ部６２が受信した高周波信号をすべて電力に変換することができる。これは、判定部７６の認証処理の結果に応じた、制御部６６の制御により実現される。
【００２８】
認証部７８は、検出部７２と、生体情報記憶部７４と、判定部７６とを含む。検出部７２は、電源ユニット８０が発電した電力を用いて、生体それぞれに固有の特徴を表す情報（生体情報）を検出する（本実施の形態の場合、生体情報の記憶は一時的なものであるが、恒久的なものであってはならない理由はない）。本実施の形態の場合、検出部７２が検出する生体情報は、指紋、指静脈の分岐点、および指静脈の端点のいずれかの特徴を表す情報である。このように生体情報を検出すると、指紋や指静脈のパターンの情報をすべて検出する場合に比べ、生体情報全体の量を抑制することができる。生体情報全体の量が抑制されると、生体情報の処理を速くでき、かつ電力の消費を抑制することができる。これが、生体情報として、特徴を表す情報を検出する理由である。なお、検出部７２が、指に関する特徴を表す情報を検出する理由は、ＩＣカードに搭載できる装置のサイズに制限がある点にある。生体情報記憶部７４は、予め定められた使用者に固有の特徴を表す情報（所有者情報）を記憶する。判定部７６は、電源ユニット８０が発電した電力を用いて、検出部７２が検出した生体情報が、生体情報記憶部７４に記憶された所有者情報に一致するか否かを判断する。
【００２９】
電源ユニット８０は、圧電素子１１２と、第１電源部１１４とを含む。圧電素子１１２は、圧力を受けると、分極を生じる。第１電源部１１４は、圧電素子１１２の内部の、分極した電子を、電力変換回路（整流回路）を用いて、コンデンサに蓄電する。これにより、電源ユニット８０は、圧電素子１１２を用いて発電することができる。第１電源部１１４は、このようにして蓄電した電力を認証部７８などに供給する。
【００３０】
図２および図３を参照して、本実施の形態の非接触ＩＣカード６０における検出部７２の配置を説明する。図２は、非接触ＩＣカード６０の外観図である。図３は、圧電素子１１２および検出部７２に対する、非接触ＩＣカード６０の各部の関係を示す図である。本実施の形態に係る非接触ＩＣカード６０は、表面に検出部７２を、裏面に圧電素子１１２を配置したＩＣカードである。すなわち、圧電素子１１２は、検出部７２に重ねられている。これらの配置は、実際に非接触ＩＣカード６０を使用する際の、使用者が持つ方向を考慮して決定される。すなわち、検出部７２は、長方形の非接触ＩＣカード６０の長辺側の端より短辺側の端に近い位置に配置されている。この非接触ＩＣカード６０を使用するために、使用者が非接触ＩＣカード６０を取出した場合、使用者はカードの端を指で挟んで持出す。このとき、図３に示すように、非接触ＩＣカード６０の圧電素子１１２は、指で挟まれることによって、検出部７２が情報を検出する際に力を受け、電圧を発生する。第１電源部１１４は、発生した電力を蓄電する。検出部７２は、使用者の指から生体情報を検出する。これにより、外部リーダ・ライタ５０に非接触ＩＣカード６０を近づける自然な動作の際、予め個人認証が行われる。すなわち、個人認証のために非接触ＩＣカード６０をわざわざ持ち替える必要がなくなる。
【００３１】
図４を参照して、本実施の形態に係る非接触ＩＣカード６０で実行されるプログラムは、使用者の認証およびデータの入出力に関し、以下のような制御構造を有する。
【００３２】
ステップ１０２（以下、ステップをＳと略す。）にて、ユーザが非接触ＩＣカード６０を取出す。この時、ユーザが非接触ＩＣカード６０の判定部７６および圧電素子１１２を保持することにより、圧電素子１１２は、圧力を受けたことを検出する。Ｓ１０４にて、圧電素子１１２は、電圧を発生する。これにより、圧電素子１１２は、第１電源部１１４に電力を供給する。Ｓ１０６にて、第１電源部１１４は、圧電素子１１２が出力した電力を蓄電する。Ｓ１０８にて、第１電源部１１４は、スイッチ８２に電力を供給する。スイッチ８２は、電力が供給されると、その電力を用いて「ＯＮ」になる。スイッチ８２が「ＯＮ」になると、電源ユニット８０から、第２電源部７０への電路が閉じられる。電路が閉じられると、第２電源部７０が、制御部６６などへ電力を供給する。これにより、制御部６６などの動作が可能になる。
【００３３】
Ｓ１１０にて、第１電源部１１４は、判定部７６をはじめとする認証部７８に電力を供給する。Ｓ１１２にて、検出部７２は、使用者の指が密着したことを検出する。Ｓ１１４にて、検出部７２は、使用者の指紋および指静脈の画像データを採取する。
【００３４】
Ｓ１１６にて、判定部７６は、検出部７２が採取した生体情報が、生体情報記憶部７４に記憶されている所有者情報に一致するか否かを判断する。一致すると判断した場合（Ｓ１１６にてＹＥＳ）、処理はＳ１１８へと移される。もしそうでないと（Ｓ１１６にてＮＯ）、処理はＳ１２０へと移される。Ｓ１１８にて、判定部７６は、「Ｈ」レベルの認証信号を制御部６６の「ＲＥＳＥＴ入力」の端子（制御部６６をリセットさせる端子）に出力する。これにより、制御部６６は、外部リーダ・ライタ５０との通信が可能となる。Ｓ１２０にて、判定部７６は、使用者が不正使用者であると判断する。判定部７６は、「Ｌ」レベルの認証信号を制御部６６の「ＲＥＳＥＴ入力」の端子（制御部６６をリセットさせる端子）に出力する。
【００３５】
Ｓ１２２にて、使用者は非接触ＩＣカード６０を外部リーダ・ライタ５０に近づける。第１アンテナ部６２は、外部リーダ・ライタ５０からの電磁波を受信する。Ｓ１２４にて、第１アンテナ部６２は、受信した電磁波を高調波信号に変換する。送受信ユニット６４の受信部９６は、高調波信号の一部を電力に変換する。Ｓ１２６にて、第２電源部７０は、受信部９６が変換した電力を蓄電する。Ｓ１２８にて、制御部６６は、第２電源部７０が供給する電力を受付ける。制御部６６は、電力を受付けると、第１アンテナ部６２および送受信ユニット６４を用いて記憶部６８に記憶されたデータの通信を行う。
【００３６】
以上のような構造およびフローチャートに基づく、非接触ＩＣカード６０の動作について説明する。
【００３７】
［正当な使用者が非接触ＩＣカードを使用する場合］
圧電素子１１２は、圧力を受けたことを検出する（Ｓ１０２）。圧力が検出されると、圧電素子１１２は、第１電源部１１４に電力を供給する（Ｓ１０４）。電力が供給されると、第１電源部１１４は、圧電素子１１２が出力した電力を蓄電する（Ｓ１０６）。電力が蓄電されると、第１電源部１１４は、スイッチ８２に電力を供給する。スイッチ８２は、電力が供給されると「ＯＮ」になる（Ｓ１０８）。スイッチ８２が「ＯＮ」になると、第１電源部１１４は、判定部７６をはじめとする認証部７８に電力を供給する（Ｓ１１０）。電力が供給されると、検出部７２は、使用者の指が密着したことを検出する（Ｓ１１２）。使用者の指が密着したことが検出されると、検出部７２は、使用者の指紋および指静脈の画像データを採取する（Ｓ１１４）。画像データが採取されると、判定部７６は、検出部７２が採取した生体情報が、生体情報記憶部７４に記憶されている所有者情報に一致するか否かを判断する（Ｓ１１６）。この場合、一致すると判断されるので（Ｓ１１６にてＹＥＳ）、判定部７６は、「Ｈ」レベルの認証信号を出力する。これにより、制御部６６は、外部リーダ・ライタ５０との通信が可能となる（Ｓ１１８）。外部リーダ・ライタ５０との通信が可能となると、使用者は非接触ＩＣカード６０を外部リーダ・ライタ５０に近づける。第１アンテナ部６２は、外部リーダ・ライタ５０からの電磁波を受信する（Ｓ１２２）。第１アンテナ部６２が電磁波を受信すると、第１アンテナ部６２は、受信した電磁波を高調波信号に変換する。送受信ユニット６４の受信部９６は、高調波信号の一部を電力に変換する（Ｓ１２４）。高調波信号の一部が電力に変換されると、第２電源部７０は、受信部９６が変換した電力を蓄電する（Ｓ１２６）。電力が蓄電されると、制御部６６は、第２電源部７０が供給する電力を受付ける。制御部６６は、電力を受付けると、第１アンテナ部６２および送受信ユニット６４を用いて記憶部６８に記憶されたデータの通信を行う（Ｓ１２８）。すなわち、制御部６６および送信部９４は、判定部７６が、検出部７２が検出した情報を、生体情報記憶部７４に記憶された情報に一致する情報と判断すると、第２電源部７０が供給した電力を用いて、記憶部６８に記憶された情報に対応するように（すなわち、記憶部６８に記憶された情報から、記憶部６８に記憶された情報を読み取り可能なように）変調された信号を生成する。第１アンテナ部６２は、制御部６６および送信部９４が生成した信号を電磁波として（すなわち制御部６６および送信部９４が生成した信号に対応する電磁波を）出力する。第１アンテナ部６２は、第１アンテナ部６２自身が出力した信号に対する、外部リーダ・ライタ５０が送信した結果を電磁波で受け取る。制御部６６は、外部リーダ・ライタ５０が送信した結果を、記憶部６８に記憶させる。これにより、使用者は、クレジット機能やデビットカード機能などといった、所望するＩＣカードの機能を得る。
【００３８】
［不正使用者が非接触ＩＣカードを使用する場合］
画像データが採取されると、判定部７６は、検出部７２が採取した生体情報が、生体情報記憶部７４に記憶されている所有者情報に一致するか否かを判断する（Ｓ１１６）。この場合、一致しないと判断されるので（Ｓ１１６にてＮＯ）、判定部７６は、「Ｌ」レベルの認証信号を制御部６６の「ＲＥＳＥＴ入力」の端子に出力する（Ｓ１２０）。「Ｌ」レベルの認証信号が出力されると、圧電素子１１２は、圧力を受けたことを検出する（Ｓ１０２）。電力の供給は、非接触ＩＣカード６０が外部リーダ・ライタ５０から離れるまで繰返される。
【００３９】
以上のようにして、本実施の形態に係る非接触ＩＣカード６０は、個人認証に必要な電力の供給を、外部リーダ・ライタ５０から受けず、内蔵された電源から受ける。このとき、電力は、圧電素子１１２を動作させることにより得られる。その電力は、第１電源部１１４が蓄電することにより供給することが可能になる。これにより、使用者が必要とするとき、生体情報に基づいて、迅速に個人認証ができる。迅速に個人認証ができるので、本実施の形態に係る非接触ＩＣカード６０は、使用者が必要とするときに、生体情報に基づいて、予め定められた使用者であることを迅速に認証できる。予め定められた使用者であることが迅速に認証されるので、本実施の形態に係る非接触ＩＣカード６０は、セキュリティ機能や個人認証機能を容易に付加できる。個人認証機能などが容易に付加できるので、たとえば電子マネー決済といった処理を迅速に実施することも可能となる。さらに、本実施の形態に係る非接触ＩＣカード６０は、検出部７２を、使用者が主に保持する位置に配置する。これにより、非接触ＩＣカード６０を取出すことによって、自動的に個人認証が可能となる。その上、本実施の形態に係る非接触ＩＣカード６０は、カード表面に電力の供給を受けるための端子を設ける代わりに、上述した各構成を設けている。これにより、カードに電力を供給する際、端子と電源との位置決めの必要がなくなる。位置決めの必要がなくなるので、カードの利便性が向上する。その結果、より利便性が高いＩＣカードを提供することができる。
【００４０】
なお、検出部７２が配置される位置は、図２に示す位置に限定されない。たとえば、圧電素子１１２および検出部７２は、非接触ＩＣカード６０の四隅のいずれか、または非接触ＩＣカード６０の中央に配置されてもよい。
【００４１】
また、電源ユニット８０は、シート電池やボタン電池などであってもよい。この場合、電源ユニット８０が蓄電する電力は、非接触ＩＣカード６０を製造した際に充電された電力である。
【００４２】
この場合、指による押圧を受ける部分に、圧電素子の代わりに上記電池からの電力を生体情報判定部などへ供給を開始するスイッチを設けておけば良い。スイッチをオンにする時間は、カードを保持する時間と同じにする事も出来る。上記の通り、圧電素子は、スイッチと電池と置き換えることが可能である。蓄電機能を持つならば、電力は、外部リーダ・ライタから供給される電力を蓄電するよう構成しておけば、電力不足となることもない。
【００４３】
＜第２の実施の形態＞
以下、本発明の第２の実施の形態に係るＩＣカードについて、図面に基づいて説明する。
【００４４】
図５を参照して、非接触ＩＣカード６１は、表示部１０２と、固有ＩＤ記憶部１０４とをさらに含む。表示部１０２は、制御部６７およびスイッチ８２に接続され、非接触ＩＣカード６１の動作の状態に応じた表示をする。「非接触ＩＣカード６１の動作の状態」とは、「第１の点灯状態」、および「第２の点灯状態」の２つである。これらの状態は、認証信号に対応する。認証信号は、判定部７６によって表示部１０２に入力される。表示部１０２は、非接触ＩＣカード６１の表面（ただし、外部から容易に確認することができる位置であれば、他の場所であってもよい）に取り付けられている。表示部１０２は、ＬＥＤ（Light Emitting Diode）によって構成される。通常、表示部１０２は点灯しない。使用者により非接触ＩＣカード６１が保持されない限り、電源ユニット８０が電力を供給しないことがその理由である。表示部１０２は、スイッチ８２を通じて電源ユニット８０から電力が供給されると動作する。この場合、スイッチ８２が「ＯＮ」となる。この時、表示部１０２は、「第１の点灯状態」になる。「第１の点灯状態」とは、非接触ＩＣカード６１が個人認証を行える状態になっていることを示す状態である。個人認証が完了し、かつ照合結果が一致している場合、表示部１０２は、「第２の点灯状態」になる。「第２の点灯状態」とは、後述する非接触ＩＣカード６１の制御部６７が、記憶部６８に記憶された情報を通信できることを示す状態である。照合結果が一致しない場合は、表示部１０２は「第１の点灯状態」のままである。固有ＩＤ記憶部１０４は、非接触ＩＣカード６１に固有のＩＤを記憶する。固有ＩＤ記憶部１０４に記憶された情報は、電力が供給されなくなっても消滅しない。本実施の形態における固有ＩＤ記憶部１０４は、ＲＯＭ（Read    Only  memory）である。また、本実施の形態に係る非接触ＩＣカード６１は、第１の実施の形態に係る制御部６６および認証部７８とは異なる、制御部６７および認証部８６を含む。制御部６７は、外部リーダ・ライタ５０を通じ、サーバと通信する機能を有する。また、制御部６７は、後述する生体情報記憶部７５に、サーバからダウンロードした使用者情報を記憶させる。認証部８６は、第１の実施の形態に係る認証部７８に対し、生体情報記憶部７４に代えて生体情報記憶部７５を含む点が異なる。生体情報記憶部７５は、書換え型の記憶装置である。本実施の形態に係る生体情報記憶部７５は、２種類のメモリからなる。そのうちの１種類のメモリは、電源の供給が無くても情報保持が可能なフラッシュメモリである。このメモリは、検出部７２が検出した生体情報を記憶する。もう１種類のメモリは、電源の供給が無いと情報保持が不可能なＤＲＡＭ（Dynamic  Random  Access Memory）である。このメモリは、所有者情報を記憶する。検出部７２が検出した情報は、上記フラッシュメモリに記憶されるので、電力の供給の有無に関わらず記憶される。一方のメモリ、ＤＲＡＭは、電源ユニット８０からの電力の供給が途絶えると情報が消去されるように、第１アンテナ部６２、受信部９６、および制御部６７が受付けた、所有者情報を記憶する。なお、その他のハードウェア構成については前述の第１の実施の形態と同じである。それらについての機能も同じ��ある。したがって、それらについての詳細な説明はここでは繰返さない。
【００４５】
図６を参照して、非接触ＩＣカード６１で実行されるプログラムは、使用者の認証およびデータの入出力に関し、以下のような制御構造を有する。なお、図６に示すフローチャートの中で、前述の図４に示した処理は同じステップ番号を付してある。それらの処理も同じである。したがって、それらについての詳細な説明はここでは繰返さない。
【００４６】
Ｓ１５０にて、検出部７２は、使用者の指紋および指静脈の画像データを採取する。生体情報記憶部７５は、採取した画像データを一時的に保存する。
【００４７】
Ｓ１５２にて、判定部７６は、「Ｈ」レベルの認証信号をスイッチ８２に出力する。スイッチ８２は「ＯＮ」になる。スイッチ８２が「ＯＮ」になるので、電源ユニット８０は、制御部６７および表示部１０２に電力を供給する。制御部６７は、第１アンテナ部６２および送受信ユニット６４を制御して、外部リーダ・ライタ５０との通信を確立する。通信が確立されると、制御部６７は、外部リーダ・ライタ５０を通じて、上述したサーバから、固有ＩＤ記憶部１０４に記憶されたＩＤに対応する所有者情報を受信する。制御部６７は、受信した所有者情報を、生体情報記憶部７５に保存させる。表示部１０２は、第１の点灯状態になる。これにより、第１アンテナ部６２、受信部９６、および制御部６７は、所有者情報を受付ける。
【００４８】
Ｓ１５４にて、判定部７６は、検出部７２が採取した生体情報が、サーバから受信した所有者情報に一致するか否かを判断する。一致すると判断した場合（Ｓ１５４にてＹＥＳ）、処理はＳ１５６へと移される。もしそうでないと（Ｓ１５４にてＮＯ）、処理はＳ１５８へと移される。
【００４９】
Ｓ１５６にて、判定部７６は、「Ｈ」レベルの認証信号を制御部６７の「ＲＥＳＥＴ入力」の端子とは別の端子に出力する。これにより、制御部６７は、外部リーダ・ライタ５０との通信が可能となる。判定部７６は、この出力を表示部１０２にも入力する。これにより、表示部１０２は、第２の点灯状態になる。
【００５０】
Ｓ１５８にて、判定部７６は、使用者が不正使用者と判断する。判定部７６は、「Ｌ」レベルの認証信号を制御部６７に出力する。生体情報記憶部７５は、記憶した情報を消去する。
【００５１】
以上のような構造およびフローチャートに基づく、非接触ＩＣカード６１の動作について説明する。
【００５２】
［正当な使用者が非接触ＩＣカードを使用する場合］
Ｓ１００〜Ｓ１１２の処理を経て、検出部７２は、使用者の指紋および指静脈の画像データを採取する（Ｓ１５０）。画像データが採取されると、制御部６７は、外部リーダ・ライタ５０を通じて、上述したサーバから、固有ＩＤ記憶部１０４に記憶されたＩＤに対応する所有者情報を受信する。制御部６７は、受信した所有者情報を、生体情報記憶部７５に保存させる。表示部１０２は、第１の点灯状態になる（Ｓ１５２）。このときまで、表示部１０２には、電源ユニット８０の電力が供給されない。電力が供給されないので、表示部１０２は無点灯状態である。一方、表示部１０２が第１の点灯状態となると、判定部７６は、検出部７２が採取した生体情報が、サーバから受信した所有者情報に一致するか否かを判断する（Ｓ１５４）。この場合、両者は一致すると判断されるので（Ｓ１５４にてＹＥＳ）、判定部７６は、「Ｈ」レベルの認証信号を制御部６７の「ＲＥＳＥＴ入力」の端子とは別の端子に出力する。これにより、制御部６７は、外部リーダ・ライタ５０との通信が可能となる。表示部１０２は、第２の点灯状態になる（Ｓ１５６）。表示部１０２が第２の点灯状態となると、Ｓ１２２〜Ｓ１２８の処理を経て、使用者は、表示部１０２が点灯状態になっていることを確認して、所望の動作を得る。
【００５３】
［不正使用者が非接触ＩＣカードを使用する場合］
Ｓ１００〜Ｓ１５２の処理を経て、判定部７６は、検出部７２が採取した生体情報が、サーバから受信した所有者情報に一致するか否かを判断する（Ｓ１５４）。この場合、両者は一致しないと判断されるので（Ｓ１５４にてＮＯ）、生体情報記憶部７５は、記憶した情報を消去する（Ｓ１５８）。
【００５４】
以上のようにして、本実施の形態に係る非接触ＩＣカード６１は、非接触ＩＣカードの状態に応じた表示をすることができる。これにより、使用者が非接触ＩＣカード６１の状態を確認できる。状態が確認されると、指の押付け状態が適切でないなどの原因で、個人認証ができなかった場合、使用者はそのことを確認できる。また、認識部７８への電源供給が不足した場合や、電源ユニット８０が故障した場合にもその原因を確認することが可能となる。その上、本実施の形態に係る非接触ＩＣカード６１は、個人認証の直前に使用者情報をダウンロードする。これにより、本実施の形態に係る非接触ＩＣカード６１は、通常時に使用者情報を保存しない。使用者情報が保存されないので、生体情報の外部漏洩の危険性が減少する。その結果、本実施の形態に係るＩＣカードは、非接触ＩＣカードの動作の状態が明らかなため、使用者がストレスを感じることがなく、生体情報が外部に漏洩する恐れが少なく、かつ使用者が必要とするときに、予め定められた使用者であることを迅速に認証できる。この場合、ＩＣカードとのやり取り開始前に、個人認証は終了していない。しかし、生体情報の安全性や外部漏洩（たとえば紛失などにより他者の手に渡ったこと）を考慮すれば、非使用時に、生体情報記憶部７５が所有者情報を保持していないことは、セキュリティの点でより望ましいものと考えられる。
【００５５】
なお、固有ＩＤ記憶部１０４は、記憶部６８の一部であってもよい。
【００５６】
＜第３の実施の形態＞
以下、本発明の第３の実施の形態に係るＩＣカードについて、図面に基づいて説明する。
【００５７】
図７を参照して、非接触ＩＣカード７１は、電磁波検出部８８と、表示部１０６とをさらに含む。電磁波検出部８８は、外部リーダ・ライタ５０から電力の供給を受けることができる場合、認証部７８に電力が供給されるように、電路を閉じる。これにより、電源ユニット８０からの電力の供給が不足する場合でも、自動的に外部リーダ・ライタ５０から電力の供給を受けることができる。表示部１０６は、スイッチ８４に接続され、非接触ＩＣカード７１の動作の状態に応じた表示をする。「非接触ＩＣカードの動作の状態」とは、「第１の点灯状態」、および「第２の点灯状態」の２つである。これらの状態は、認証信号に対応する。認証信号は、判定部７６によって表示部１０６に入力される。表示部１０６は、非接触ＩＣカード７１の表面（ただし、外部から容易に確認することができる位置であれば、他の場所であってもよい）に取り付けられている。表示部１０６は、ＬＥＤ（Light Emitting Diode）によって構成される。通常、表示部１０６は点灯しない。使用者により非接触ＩＣカード７１が保持されない限り、電源ユニット８０が電力を供給しないことがその理由である。表示部１０６は、スイッチ８２を通じて電源ユニット８０が電力を供給すると動作する。電源ユニット８０は、使用者が圧電素子１１２に圧力を加えると、スイッチ８２に電力を送信する。この場合、スイッチ８２が「ＯＮ」となる。この時、表示部１０６は、「第１の点灯状態」になる。「第１の点灯状態」とは、非接触ＩＣカード７１が個人認証を行える状態になっていることを示す状態である。個人認証が完了し、かつ照合結果が一致している場合、表示部１０６は、「第２の点灯状態」になる。「第２の点灯状態」とは、非接触ＩＣカード７１の制御部６６が、記憶部６８に記憶された情報を通信できることを示す状態である。これらは、明るさの強弱により区別される。照合結果が一致しない場合は、表示部１０６は「第１の点灯状態」のままである。また、本実施の形態のスイッチ８９は、認証信号に応じて電源ユニット８０から制御部６６への回路を開閉することに加え、電源ユニット８０から表示部１０６への電力を中継する。スイッチ８９は、認証信号に応じて、電源ユニット８０から表示部１０６へ中継する電力の大きさを制御する。ただし、スイッチ８９は、電源ユニット８０が電力を供給する場合、これを遮断することはない。これにより、表示部１０６は、認証信号に応じて第１の点灯状態になったり、第２の点灯状態になったりする。電源ユニット８０が電力を供給しない場合のみ、表示部１０６は、無点灯状態になる。なお、その他のハードウェア構成については前述の第１の実施の形態と同じである。それらについての機能も同じである。したがって、それらについての詳細な説明はここでは繰返さない。
【００５８】
図８を参照して、非接触ＩＣカード７１で実行されるプログラムは、使用者の認証およびデータの入出力に関し、以下のような制御構造を有する。なお、図８に示すフローチャートの中で、前述の図４および図６に示した処理は同じステップ番号を付してある。それらの処理も同じである。したがって、それらについての詳細な説明はここでは繰返さない。
【００５９】
Ｓ１６０にて、第１電源部１１４は、圧電素子１１２が出力した電力を蓄電する。電力が蓄電されると、スイッチ８９を介して表示部１０６に電力が供給される。これにより、表示部１０６は、第１の点灯状態になる。
【００６０】
Ｓ１６２にて、判定部７６は、「Ｈ」レベルの認証信号をスイッチ８９に出力する。スイッチ８９は「ＯＮ」になる。スイッチ８９は、表示部１０６に中継する電力を変更する。これにより、表示部１０６は、第２の点灯状態になる。
【００６１】
以上のような構造およびフローチャートに基づく、非接触ＩＣカード７１の動作について説明する。
【００６２】
Ｓ１０２〜Ｓ１０４の処理を経て、第１電源部１１４は、圧電素子１１２が出力した電力を蓄電する。電力が蓄電されると、スイッチ８９を介して表示部１０６に電力が供給される。これにより、表示部１０６は、第１の点灯状態になる（Ｓ１６０）。表示部１０６が第１の点灯状態になると、Ｓ１０８〜Ｓ１１６の処理を経て、判定部７６は、「Ｈ」レベルの認証信号をスイッチ８９に出力する。スイッチ８９は「ＯＮ」になる。スイッチ８９は、表示部１０６に中継する電力を変更する。これにより、表示部１０６は、第２の点灯状態になる（Ｓ１６２）。
【００６３】
以上のようにして、本実施の形態に係る非接触ＩＣカード７１は、２つの動作状態を示す。すなわち、表示部１０６は、判定部７６が、検出部７２が検出した情報を、生体情報記憶部７４に記憶された情報に一致する情報と判断したら、第１の点灯状態で点灯し、更に第１アンテナ部６２が電磁波の出力を開始し、少なくとも第１アンテナ部６２が電磁波を出力する間、第２の点灯状態で点灯する。２つの点灯状態が示されるので、不正使用者と判断された原因が、第１電源部１１４からの電力が不足している点にあるのか、判定部７６が不正使用者と判断した点にあるのか、判断することができる。これらが判断できるので、電源ユニット８０が故障した場合や第１電源部１１４に蓄電された電力が不足する場合、第２電源部７０から電力を供給することもできる。したがって、電源ユニット８０が電力を供給できないといった最悪の状況でも、外部リーダ・ライタ５０からの電力の供給を受けることができる。その結果、信頼性が高いＩＣカードを提供することができる。
【００６４】
なお、「第１の点灯状態」、および「第２の点灯状態」の相違点は、点灯する色であってもよいし、点灯するパターンであってもよい。前者の場合、スイッチ８９は、認証信号に応じて表示部１０６を構成する別のＬＥＤに電力を供給する。後者の場合、スイッチ８９は、点灯のパターンに応じて、表示部１０６に供給する電力の値を変化させる。
【００６５】
また、第２の実施の形態と同様に、制御部６６は、ネットワークを通じて所有者情報を受信してもよい。この場合、生体情報記憶部７５は、受信した所有者情報を一時的に記憶することとなる。
【００６６】
その他、電磁波検出部８８は、第１の実施の形態に係る非接触ＩＣカード６０および第２の実施の形態に係る非接触ＩＣカード６１のいずれかに含まれてもよい。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】本発明の第１の実施の形態に係る非接触ＩＣカードの制御ブロック図である。
【図２】本発明の第１の実施の形態に係る検出部の配置を表す図である。
【図３】本発明の第１の実施の形態に係る圧電素子および検出部に対する、非接触ＩＣカードの各部の関係を示す図である。
【図４】本発明の第１の実施の形態に係る非接触ＩＣカードの認証およびデータの入出力処理の制御の手順を示すフローチャートである。
【図５】本発明の第２の実施の形態に係る非接触ＩＣカードの制御ブロック図である。
【図６】本発明の第２の実施の形態に係る非接触ＩＣカードの認証およびデータの入出力処理の制御の手順を示すフローチャートである。
【図７】本発明の第３の実施の形態に係る非接触ＩＣカードの制御ブロック図である。
【図８】本発明の第３の実施の形態に係る非接触ＩＣカードの認証およびデータの入出力処理の制御の手順を示すフローチャートである。
【図９】従来例に係る非接触ＩＣカードの全体構成図である。
【符号の説明】
【００６９】
５０  外部リーダ・ライタ、６０，６１，７１  非接触ＩＣカード、６２  第１アンテナ部、６４  送受信ユニット、６６，６７，１５０  制御部、６８，１５６  記憶部、７０  第２電源部、７２  検出部、７４，７５  生体情報記憶部、７６  判定部、７８，８６  認証部、８０  電源ユニット、８２，８４，８９  スイッチ、８８  電磁波検出部、９０  第１アンテナ、９２  第１同調回路、９４，１７２  送信部、９６，１７４  受信部、１０２，１０６  表示部、１０４  固有ＩＤ記憶部、１１２  圧電素子、１１４  第１電源部、１５２  センサ部、１５４  電源部、１５８  送受信部、１６０  アンテナ、１６２  電源コード。
【図１】
2005202505.tif 000003
【図２】
2005202505.tif 000004
【図３】
2005202505.tif 000005
【図４】
2005202505.tif 000006
【図５】
2005202505.tif 000007
【図６】
2005202505.tif 000008
【図７】
2005202505.tif 000009
【図８】
2005202505.tif 000010
【図９】
2005202505.tif 000011